(57)【要約】【課題】  電極板への取り付け及び取り外し作業を簡単に行うことができて電極板に強固に固定されるとともに、電極板との間に電解液が侵入することがなく、電極板に析出した金属を簡単に剥離することができる電解精錬用電極板の縁部絶縁部材を提供する。【解決手段】  金属の電解精錬に用いられる電極板Ｅに取り付けられる縁部絶縁部材１０であって、棒状をなす絶縁部材本体１１の一側面には、電極板Ｅを嵌入するための装着溝１２と電極板Ｅを挟持する一対の顎部１３とが絶縁部材本体１１の長手方向に沿って形成され、絶縁部材本体１１の他側面には、締め付け具２０装着用の嵌合凹所１４が絶縁部材本体１１の長手方向に沿って形成されるとともに、装着溝１２の内面には、絶縁部材本体１１よりも軟質な熱可塑性エラストマによって構成された弾性部材１５が配置され、弾性部材１５と絶縁部材本体１１とが二色成形法によって一体成形されていることを特徴とする。【選択図】  図１
2007002282.tif 000002
【特許請求の範囲】
【請求項１】
金属の電解精錬工程において用いられる電極板の縁部に取り付けられる縁部絶縁部材であって、
棒状をなす絶縁部材本体の一側面には、前記電極板を嵌入するための装着溝と該装着溝に嵌入された前記電極板を挟持する一対の顎部とが前記絶縁部材本体の長手方向に沿って形成され、前記絶縁部材本体の他側面には、締め付け具装着用の嵌合凹所が前記絶縁部材本体の長手方向に沿って形成されるとともに、
前記装着溝の内面には、前記絶縁部材本体よりも軟質な熱可塑性エラストマによって構成された弾性部材が配置され、
該弾性部材と前記絶縁部材本体とが二色成形法によって一体成形されていることを特徴とする縁部絶縁部材。
【請求項２】
前記絶縁部材本体が、絶縁性と耐熱性と耐酸性とを有するエンジニアリングプラスチックで構成されていることを特徴とする請求項１に記載の縁部絶縁部材。
【請求項３】
前記弾性部材の硬さが、タイプＡデュロメータでＡ３０からＡ９０の範囲内とされていることを特徴とする請求項１または請求項２に記載の縁部絶縁部材。
【発明の詳細な説明】
【技術分野】
【０００１】
本発明は、金属の電解精製や電解採取などの電解精錬工程において使用される電極板の縁部に取り付ける絶縁部材に関するものである。
【背景技術】
【０００２】
一般に、金属の電解精錬においては、ステンレス鋼等の金属からなる電極板を陰極とし、これを精錬する金属からなる陽極とともに電解槽に収容して電解液に浸漬し、電解を行って電極板の両表面に金属を析出させ、これを剥離することで板状精製物を得る方法が適用されている。
【０００３】
例えば、銅の電解精錬では、従来、ステンレス鋼からなる電極板を陰極として比較的短時間の電解を行って厚さ０．５ｍｍから１．０ｍｍ程度の銅の種板を得た後に、この種板を陰極として再度電解を行って種板の表面に銅を析出させる方法が用いられていたが、近年では、ステンレス鋼製の電極板を陰極として長時間の電解を行い、厚さ８ｍｍから１０ｍｍ程度の銅カソードを直接得るパーマネントカソード法が導入されている。このパーマネントカソード法では、種板を用いる場合に比べて銅カソードの懸垂性が改善されるために陰極と陽極との間の距離を短くして電流密度を上げることができ、生産性が大きく向上するとともに、不純物が少なく異常析出がない高品質の電気銅を得ることができるものである。
【０００４】
上記のような種板やカソードをステンレス鋼等で構成された電極板の両面に電着析出させた場合には、電着した金属を剥離する必要があるが、電極板の縁部にカソードが電着して表裏両面のカソードが連結された場合には、カソードを剥ぎ取ることが困難となってしまう。そこで、電極板の縁部へのカソードの電着を防止するための縁部絶縁部材が提供されている（特許文献１、特許文献２参照）。
【０００５】
特許文献１及び特許文献２に記載されている縁部絶縁部材は、棒状の絶縁部材本体の一側面に電極板を嵌入するための装着溝とこの装着溝に嵌入された電極板を挟み込む一対の顎部とが、絶縁部材本体の長手方向に沿って形成され、この装着溝の反対側には、装着溝と対向するように延びる嵌合凹所が形成されたものである。この嵌合凹所に円柱状の締め付け具をはめ込むことで上記一対の顎部が互いに近接するように移動して電極板を挟持することができる構成とされている。
【０００６】
そして、特許文献１に記載の縁部絶縁部材は、装着溝の内面にシール部材としてシリコンゴム（ＶＱＭ）やクロロプレンゴム（ＣＲ）を配置して電極板と縁部絶縁部材とを強固に固定するものである。
また、特許文献２に記載の縁部絶縁部材は、ステンレス鋼製の電極板の縁部に形成された複数の穴部にピンを挿通することにより、縁部絶縁部材を電極板に強固に固定するものである。
【特許文献１】特開平０５−２９５５８４号公報
【特許文献２】特開２００１−３５５０９０号公報
【発明の開示】
【発明が解決しようとする課題】
【０００７】
ところで、特許文献１に記載の縁部絶縁部材は、例えばパーマネントカソード法のような電解液に長時間浸漬される電極板を対象としたものでなく、薄い種板を製造するための電極板を対象としたものであり、電解液に比較的短時間浸漬されるものとして構成されている。このため、例えばパーマネントカソード法のように、この縁部絶縁部材が１６０時間以上の長時間電解液中に浸漬された場合に、電解液を構成する酸や電解液の温度によって劣化してしまうおそれがあった。特に、シール部材としてシリコンゴム（ＶＱＭ）やクロロプレンゴム（ＣＲ）等の熱硬化性エラストマを使用しているので、温度による劣化が激しく、縁部絶縁部材が使用中にずれてしまうおそれがあった。
【０００８】
また、パーマネントカソード法の中で広く採用されているＩＳＡ法では、ステンレス鋼の電極板の縁部に穴部が複数形成されている。特許文献１に記載の縁部絶縁部材では、顎部での挟持を確実に行うために装着溝の深さは浅くされており、上記のＩＳＡ法で使用される電極板の穴部を塞ぐことができるものではなかった。
【０００９】
さらに、特許文献１では、装着溝の内側にシール部材としてシリコンゴムやクロロプレンゴム等を接着しているが、シール部材と装着溝との間に電解液が入り込むおそれがあった。電解時間が長い場合には、電解液が入り込んだ部分でも金属が析出してしまい、縁部絶縁部材の装着溝が押し広げられて電極板から外れたりずれたりしてしまうといった問題があった。
【００１０】
また、特許文献２に記載の縁部絶縁部材では、電極板の穴部にピンを挿通して強固に絶縁部材を固定しているものの、絶縁部材本体が電解液の温度によって熱膨張した場合には、この穴部とピンとのわずかな隙間が生じ、電解液が侵入するおそれがあった。この隙間に電解液が侵入した場合には、穴部でも金属が析出し、電極板表面に析出した金属を簡単に剥ぎ取ることができなくなるといった問題があった。
【００１１】
さらに、専用機械によって電極板の表面に析出した金属を剥離した際には、ピンが破損してしまい、縁部絶縁部材を再度使用できなくなってしまうといった問題があった。
また、ピンを数箇所に配置しているので、この縁部絶縁部材の電極板への取り付け作業及び取り外し作業に多くの時間と労力を要していた。
【００１２】
この発明は、上述した事情に鑑みてなされたものであって、電極板への取り付け及び取り外し作業を簡単に行うことができて電極板に強固に固定されるとともに、電極板との間に電解液が侵入することがなく、電極板表面に析出した金属を簡単に剥離することができる電解精錬用電極板の縁部絶縁部材を提供することを目的とする。
【課題を解決するための手段】
【００１３】
上記の課題を解決するために、本発明は、金属の電解精錬工程において用いられる電極板の縁部に取り付けられる縁部絶縁部材であって、棒状をなす絶縁部材本体の一側面には、前記電極板を嵌入するための装着溝と該装着溝に嵌入された前記電極板を挟持する一対の顎部とが前記絶縁部材本体の長手方向に沿って形成され、前記絶縁部材本体の他側面には、締め付け具装着用の嵌合凹所が前記絶縁部材本体の長手方向に沿って形成されるとともに、前記装着溝の内面には、前記絶縁部材本体よりも軟質な熱可塑性エラストマによって構成された弾性部材が配置され、該弾性部材と前記絶縁部材本体とが二色成形法によって一体成形されていることを特徴としている。
【００１４】
この構成の縁部絶縁部材では、電極板と接触する装着溝の内面に軟質の弾性部材が配置されており、締め付け具を嵌合凹所に嵌めこむことにより、一対の顎部が互いに近接するように移動し、弾性部材が電極板の表面に強く押圧される。よって、電極板と弾性部材とが密着してこの縁部絶縁部材を電極板に強固に固定することができる。また、ピン等を挿通させることなく、締め付け具を嵌合凹所に嵌合させたり外したりすることで、電極板への取り付け及び取り外しができるので、縁部絶縁部材の取り付け及び取り外し作業を簡単に行うことができる。
【００１５】
また、弾性部材と絶縁部材本体とが二色成形されているので、これらの間に電解液が入り込まず金属が析出することがないので、装着溝が押し広げられて電極板から外れたりずれたりしてしまうおそれがない。
さらに、絶縁部材本体が弾性部材よりも硬質とされており、電解槽に収容する際の衝撃などによって縁部絶縁部材が変形することが防止される。
【００１６】
また，前記弾性部材が、熱可塑性エラストマによって構成されているので、長時間電解液に浸漬されていても弾性部材が劣化することがなく、縁部絶縁部材を電極板に安定して固定することができる。ここで、熱可塑性エラストマとしては、スチレン系（ＳＢＣ）、オレフィン系（ＴＰＯ）、ウレタン系（ＴＰＵ）、ポリエステル系（ＴＰＥＥ）や、ポリ塩化ビニル（ＰＶＣ）、ポリアミド（ＰＡ）、エチレン酢酸ビニル共重合体（ＥＶＡ）、フッ素系樹脂などが挙げられる。
【００１７】
さらに具体的には、スチレン系（ＳＢＣ）として、スチレンブタジエンスチレンブロック共重合体（ＳＢＳ）、スチレンイソプレンスチレンブロック共重合体（ＳＩＳ）、スチレンエチレンブチレンスチレンブロック共重合体（ＳＥＢＳ）、スチレンエチレンプロピレンスチレンブロック共重合体（ＳＥＰＳ）などが挙げられる。
また、オレフィン系（ＴＰＯ）として、ポリプロピレン（ＰＰ）の中に各種ゴム材を微分散させた、ＰＰ−ＥＰＭ、ＰＰ−ＥＰＤＭ、ＰＰ−ＮＢＲ、ＰＰ−ＩＲや、ポリエチレン（ＰＥ）の中にエチレンプロピレンゴムを微分散させたＰＥ−ＥＰＤＭなどが挙げられる。
【００１８】
また、ウレタン系（ＴＰＵ）として、ポリテトラメチレングリコール（ＰＴＭＧ）、ポリ（ブチレンアジペート）ジオール（ＰＢＡ）、ポリカプロラクトン（ＰＣＬ）、ポリ（ヘキサメチレンカーボネート）ジオール（ＰＨＣ）などが挙げられる。
さらに、ポリエステル系（ＴＰＥＥ）として、ポリブチレンテレフタレート−ポリカプロラクトン（ＰＢＴ−ＰＣＬ）、ポリブチレンアジテート（ＰＢＡ）などが挙げられる。
【００１９】
また、前記絶縁部材本体を、絶縁性と耐熱性と耐酸性を有するエンジニアリングプラスチックで構成することにより、縁部絶縁部材が電解液に長時間浸漬された場合でも、絶縁部材本体の劣化が防止される。エンジニアリングプラスチックとしては、ポリフェニレンサルファイド（ＰＰＳ）、フッ素系樹脂、ポリフェニルサルフォン（ＰＰＳＦ）、ポリエーテルエーテルケトン（ＰＥＥＫ）、またはポリフェニルエーテル（ＰＰＥ）等が挙げられる。
【００２０】
ここで、要求される耐熱性や耐酸性は浸漬される電解液によって異なるため、電解液を構成する酸や温度等を考慮して、好適な材料を選定することが好ましい。例えば、銅の電解精錬では、電解液が硫酸で構成されて約６０℃に保持されているので、硫酸に対する耐酸性を有するとともに６０℃で軟化や変質が起こらない程度の耐熱性を有するポリフェニルエーテル（ＰＰＥ）を使用することが好ましい。
【００２１】
また、前記弾性部材の硬さを、タイプＡデュロメータ（ＪＩＳ  Ｋ  ６２５３）でＡ３０からＡ９０の範囲内とすることにより、電極板と弾性部材とが確実に密着して電極板に強固に固定される。
また、ＩＳＡ法に使用されている電極板のように穴部が形成されている場合には、この穴部に弾性部材が弾性変形して入り込むことになる。穴部に入り込んだ弾性部材がアンカーの役割を果たすため、縁部絶縁部材を電極板にさらに強固に固定できる。
ここで、弾性部材の硬さがＡ９０以下とされているので、押圧された際の弾性部材の変形量が小さすぎず、電極板との密着性を確保できる。一方、弾性部材の硬さがＡ３０以上とされているので、押圧された際に弾性部材が潰れてしまうことが防止される。
【発明の効果】
【００２２】
以上のように、本発明によれば、電極板への取り付け及び取り外し作業を簡単に行うことができて電極板に強固に固定されるとともに、電極板との間に電解液が侵入することがなく、電極板表面に析出した金属を簡単に剥離することができる電解精錬用電極板の縁部絶縁部材を提供することができる。
【発明を実施するための最良の形態】
【００２３】
以下に、本発明の実施形態について添付した図面を参照して説明する。図１から図３に本実施の形態である縁部絶縁部材を示す。
縁部絶縁部材１０は、図１及び図２に示すように、棒状をなす絶縁部材本体１１と、絶縁部材本体１１に装着される締め付けロッド２０と、電極板Ｅと接触する弾性部材１５とで構成されている。
【００２４】
絶縁部材本体１１は、エンジニアリングプラスチックで構成されており、本実施形態では、ポリフェニルエーテル（ＰＰＥ）で構成されている。このポリフェニルエーテルは、絶縁性、耐衝撃性、耐熱性、耐酸性に優れたものであり、特に、銅の電解精錬に使用される電解液である約６０℃の硫酸液に対する耐酸性と耐熱性を有するものである。
棒状をなす絶縁部材本体１１の一側面には、電極板Ｅの縁部を嵌入する装着溝１２とこの装着溝１２に嵌入された電極板Ｅを挟み込む一対の顎部１３とが、絶縁部材本体１１の長手方向に沿って形成されている。
【００２５】
装着溝１２は、図１に示すように断面コの字状をなしており、一対の顎部１３の内面が装着溝１２の側壁面を構成し、一対の顎部１３の連結部分に底面を有している。そして、この装着溝１２の深さは、本実施形態では、１８ｍｍとされており、ＩＳＡ法で使用されている電極板Ｅに縁部に形成された穴部を塞ぐことができるものである。
【００２６】
また、絶縁部材本体１１において装着溝１２が形成された一側面とは反対側の側面には、断面が絶縁部材本体１１内部側に凹んだ凹曲線状をなす嵌合凹所１４が、絶縁部材本体１１の長手方向に沿って装着溝１２と平行に延びるように形成されている。本実施形態では、図１に示すように、嵌合凹所１４の断面が円の一部を切り欠いた円弧状に形成されている。
【００２７】
この嵌合凹所１４には、締め付けロッド２０が嵌合される。締め付けロッド２０は、図２に示すように長尺の円柱状をなしており、その外径が、嵌合凹所１４の断面がなす円弧の径よりもわずかに大きくなるように形成されている。つまり、嵌合凹所１４に締め付けロッド２０を嵌合することによって、嵌合凹所１４が押し広げられるように変形させられるのである。
【００２８】
弾性部材１５は、図１に示すように、絶縁部材本体１１に形成された装着溝１２の内面、つまり一対の顎部１３が互いに対向する面と装着溝１２の底面とにそれぞれ形成されている。この弾性部材１５は、熱可塑性エラストマから構成されており、本実施形態では、スチレン系エラストマの一種であるスチレンエチレンブチレンブロック共重合体（ＳＥＢＳ）で構成されている。そして、この弾性部材１５の硬さは、タイプＡデュロメータでＡ３０からＡ９０の範囲内となるように設定されており、本実施形態ではＡ８２とされている。
【００２９】
絶縁部材本体１１と弾性部材１５とは、二色成形法によって一体成形されている。つまり、絶縁部材本体１１を構成するポリフェニルエーテルと、弾性部材１５を構成するスチレンエチレンブチレンブロック共重合体とを、同じ金型内に充填して一体に成形されており、弾性部材１５と絶縁部材本体１１との間には接着部材などの接合層が形成されていないのである。
【００３０】
この縁部絶縁部材１０は、電解精錬で用いられるステンレス鋼製の電極板Ｅに取り付けられて使用される。図３に示すように、電極板Ｅの側縁部と下縁部にこの縁部絶縁部材１０が取り付けられる。電極板Ｅへの取り付けは、次のようにして行われる。まず、装着溝１２に電極板Ｅの縁部を嵌入する。その後、装着溝１２の反対側に形成された嵌合凹所１４に締め込みロッドを嵌合すると、嵌合凹所１４が押し広げられるように変形し、一対の顎部１３の付け根部分を支点として、一対の顎部１３が互いに近づくように変形して、装着溝１２に嵌入された電極板Ｅを挟持して固定するのである。
【００３１】
このようにして電極板Ｅの両側縁部と下縁部に縁部絶縁部材１０が取り付けられ、この電極板Ｅを陰極として、銅からなる陽極とともに電解槽に収容して硫酸で構成された電解液に浸漬して電解を行うが、パーマネントカソード法では１６０時間以上の長時間の電解を行うことになる。すると、電極板Ｅの両表面に厚さ８ｍｍから１０ｍｍの銅が析出し、これを剥離することで板状の銅カソードが得られるのである。
この縁部絶縁部材１０によって、陰極であるステンレス製の電極板Ｅと陽極とが接触することが防止され、電解が安定して行われる。さらに、縁部絶縁部材１０によって両表面に析出した銅カソードが縁部で接続することが防止され、銅カソードの剥離を容易に行うことができるのである。
【００３２】
そして、本実施形態である縁部絶縁部材１０では、電極板Ｅと接触する装着溝１２の内面に軟質の弾性部材１５が配置されており、一対の顎部１３が互いに近接するように移動して弾性部材１５が電極板Ｅの表面に強く押圧されて密着することにより、縁部絶縁部材１０を電極板Ｅに強固に固定することができる。また、電極板Ｅと装着溝１２との間に隙間が生じず電解液が入り込むことを防止でき、パーマネントカソード法のように電解時間が長い場合でも、上記隙間に銅が析出することがなく、縁部絶縁部材１０が外れたりずれたりしてしまうことを防止できる。
また、弾性部材１５と絶縁部材本体１１とが二色成形法によって一体に成形されているので、弾性部材１５と絶縁部材本体１１との間に電解液が入り込むことを防止でき、電解液に浸漬中に縁部絶縁部材１０がずれたりしてしまうことがない。
【００３３】
また、弾性部材１５を、熱可塑性エラストマであるスチレンエチレンブチレンブロック共重合体で構成しているので、約６０℃に保持された電解液の中に長時間浸漬された場合であっても、弾性部材１５が劣化することがなく、電極板Ｅと縁部絶縁部材１０とが強固に固定され、電解中に縁部絶縁部材１０が外れたりずれたりすることを防止できる。
また、絶縁部材本体１１を、絶縁性、耐衝撃性、耐熱性、耐酸性に優れたポリフェニルエーテルで構成することにより、縁部絶縁部材１０が硫酸で構成された６０℃の電解液に長時間浸漬された場合でも、絶縁部材本体１１の劣化を防止することができる。
【００３４】
さらに、弾性部材１５の硬さが、タイプＡデュロメータでＡ８２とされているので、電極板Ｅと弾性部材１５との密着が確実に行われる。また、ＩＳＡ法に使用されている電極板Ｅのように穴部が形成されている場合には、この穴部に弾性部材１５が弾性変形して入り込んで、穴部に入り込んだ弾性部材１５がアンカーの役割を果たすので、縁部絶縁部材１０を電極板Ｅにさらに強固に固定できる。
【００３５】
このように本実施形態である縁部絶縁部材１０によれば、ピン等を挿通させることなく、締め付けロッド２０を嵌合凹所１４に嵌合したり外したりすることで、電極板Ｅへの取り付け及び取り外しができるので、縁部絶縁部材の取り付け及び取り外し作業を簡単に行うことができる。また、弾性部材１５が電極板Ｅ表面に強く密着するので、電極板Ｅとの間に電解液が侵入することがなく、電極板Ｅに析出した銅カソードを簡単に剥離することができる。
【００３６】
なお、本実施の形態においては、パーマネントカソード法による銅の電解精錬について説明したが、これに限定されることはなく、他の金属、例えばＮｉ、Ｚｎなどの電解精製、電解採取に使用される電極板Ｅに取り付ける縁部絶縁部材１０であってもよい。
また、絶縁部材本体１１をポリフェニルエーテルで構成したもので説明したが、これに限定されることはなく、他の合成樹脂であってもよい。ただし、電極板Ｅが浸漬される電解液の成分、温度、時間を考慮して、耐酸性、耐熱性に優れたエンジニアリングプラスチックを選定することが好ましい。
【００３７】
また、弾性部材１５を構成する熱可塑性エラストマとして、スチレン系であるスチレンエチレンブチレンブロック共重合体（ＳＥＢＳ）を使用したもので説明したが、これに限定されることはなく、他の熱可塑性エラストマであってもよい。ただし、ウレタン系（ＴＰＵ）のものは耐酸性が劣り、ポリエステル系のものは耐温水性に劣るため、特にスチレン系（ＳＢＣ）、オレフィン系（ＴＰＯ）の熱可塑性エラストマで構成することが好ましい。
【実施例】
【００３８】
以下に、本発明の有効性を確認するために行った比較実験の結果について説明する。比較試験は、図４に示すように、厚さ３．２ｍｍのステンレス板を絶縁部材で挟み込んで、一方（図４において右側）のステンレス板を固定し、他方（図４において左側）から絶縁部材をバネ秤を用いて引っ張り、ステンレス板が外れた際の引っ張り力を評価した。
比較例として、顎部の内面にエラストマを配置しない縁部絶縁部材を試験に供した。本発明例１として、顎部の内面に硬さがタイプＡデュロメータでＡ９９であるエラストマを配置したものを試験に供した。また、本発明例２として、顎部の内面に硬さがタイプＡデュロメータでＡ８２であるエラストマを配置したものを試験に供した。
【００３９】
比較試験結果を表１に示す。
【００４０】
【表１】
2007002282.tif 000003
【００４１】
表１に示すように、比較例では、７４Ｎの引っ張り力で縁部絶縁部材が外れており、電極板と縁部絶縁部材とが密着していないことが確認された。
本発明例１では、１８１Ｎの引っ張り力で縁部絶縁部材が外れている。比較例に比べて強固に固定されていることが確認された。
さらに、本発明例２では、２００Ｎ以上の引っ張り力においても縁部絶縁部材が外れておらず、電極板と縁部絶縁部材とが強固に密着していることが確認された。
【００４２】
このように本発明例によれば、電極板と縁部絶縁部材とが強固に密着して外れないので、電極板と縁部絶縁部材との間に電解液が侵入するおそれがない。
【図面の簡単な説明】
【００４３】
【図１】本実施の形態である縁部絶縁部材の断面図である。
【図２】図１の縁部絶縁部材をステンレス電極板に取り付けた状態を示す斜視部分拡大図である。
【図３】図２の正面図である。
【図４】比較実験の様子を示す説明図である。
【符号の説明】
【００４４】
１０  縁部絶縁部材
１１  絶縁部材本体（本体）
１２  装着溝
１３  顎部
１４  嵌合凹所
１５  弾性部材
２０  締め付けロッド（締め付け具）
【図１】
2007002282.tif 000004
【図２】
2007002282.tif 000005
【図３】
2007002282.tif 000006
【図４】
2007002282.tif 000007